【手続補正書】
【提出日】平成19年2月19日(2007.2.19)
【手続補正１】
【補正対象書類名】特許請求の範囲
【補正対象項目名】請求項１
【補正方法】変更
【補正の内容】
【請求項１】
光電変換を担う発光部または受光部と、送信信号または受信信号を処理する半導体集積回路を実装した基板と、前記発光部または受光部の差動信号端子対と前記半導体集積回路に接続された前記基板上の差動信号端子対とを接続するためのフレキシブル基板とを具備し、
前記発光部または受光部の前記差動信号端子対が配置される面と前記基板の面とが平行でなく、且つ前記発光部または受光部の前記差動信号端子と前記基板上の前記差動信号端子の直線距離が差動信号間で異なるような光送信器または光受信器において、
前記フレキシブル基板は、差動信号線の対が等長となるよう配置されてなり、片端に近い側が垂直に折り曲げられ、かつ、該折り曲げ部から他端に寄った側が斜めに折り返されている状態で、前記片端の前記差動信号線の端子対が前記発光部または受光部の前記差動信号端子対に接続され、前記他端の前記差動信号線の端子対が前記基板の前記差動信号端子対に接続されていることを特徴とする光送信器または光受信器。
【手続補正２】
【補正対象書類名】特許請求の範囲
【補正対象項目名】請求項３
【補正方法】変更
【補正の内容】
【請求項３】
請求項１に記載の光送信器又は光受信器において、
前記フレキシブル基板を、差動信号線の対が等長となるよう配置されてなり、片端に近い側が垂直に折り曲げられ、かつ、該折り曲げ部から他端に寄った側が斜めに折り返され、かつ該折り返し部から前記他端に寄った側が垂直に折り曲げられている状態で、前記片端の前記差動信号線の端子対が前記発光部または受光部の前記差動信号端子対に接続され、前記他端の前記差動信号線の端子対が前記基板の前記差動信号端子対に接続されるフレキシブル基板に置き換えたことを特徴とする光送信器または光受信器。
【手続補正３】
【補正対象書類名】特許請求の範囲
【補正対象項目名】請求項５
【補正方法】変更
【補正の内容】
【請求項５】
光電変換を担う発光部と受光部を有し１芯の光ファイバと接続される１芯双方向モジュールと、受信信号と送信信号を処理する半導体集積回路を実装した基板と、前記１芯双方向モジュールの前記発光部または受光部の差動信号端子対と前記半導体集積回路に接続された前記基板上の差動信号端子対とを接続するためのフレキシブル基板とを具備し、
前記１芯双方向モジュールの前記差動信号端子対が配置される面と前記基板の面とが平行でなく、且つ前記１芯双方向モジュールの前記差動信号端子と前記基板上の前記差動信号端子の直線距離が差動信号間で異なるような光トランシーバにおいて、
前記フレキシブル基板は、差動信号線の対が等長となるよう配置されてなり、片端に近い側が垂直に折り曲げられ、かつ、該折り曲げた部分から他端に寄った側が斜めに折り返されている状態で、前記片端の前記差動信号線の端子対が前記１芯双方向モジュールの前記差動信号端子対に接続され、前記他端の前記差動信号線の端子対が前記基板の前記差動信号端子対に接続されていることを特徴とする光トランシーバ。
【手続補正４】
【補正対象書類名】特許請求の範囲
【補正対象項目名】請求項７
【補正方法】変更
【補正の内容】
【請求項７】
請求項５に記載の光トランシーバにおいて、
前記フレキシブル基板を、差動信号線の対が等長となるよう配置されてなり、片端に近い側が垂直に折り曲げられ、かつ、該折り曲げ部から他端に寄った側が斜めに折り返され、かつ該折り返し部から前記他端に寄った側が垂直に折り曲げられている状態で、前記片端の前記差動信号線の端子対が前記１芯双方向モジュールの前記差動信号端子対に接続され、前記他端の前記差動信号線の端子対が前記基板の前記差動信号端子対に接続されるフレキシブル基板に置き換えたことを特徴とする光トランシーバ。
【手続補正５】
【補正対象書類名】明細書
【補正対象項目名】００１９
【補正方法】変更
【補正の内容】
【００１９】
上記課題を解決するために、請求項１にかかる発明は、光電変換を担う発光部または受光部と、送信信号または受信信号を処理する半導体集積回路を実装した基板と、前記発光部または受光部の差動信号端子対と前記半導体集積回路に接続された前記基板上の差動信号端子対とを接続するためのフレキシブル基板とを具備し、前記発光部または受光部の前記差動信号端子対が配置される面と前記基板の面とが平行でなく、且つ前記発光部または受光部の前記差動信号端子と前記基板上の前記差動信号端子の直線距離が差動信号間で異なるような光送信器または光受信器において、前記フレキシブル基板は、差動信号線の対が等長となるよう配置されてなり、片端に近い側が垂直に折り曲げられ、かつ、該折り曲げ部から他端に寄った側が斜めに折り返されている状態で、前記片端の前記差動信号線の端子対が前記発光部または受光部の前記差動信号端子対に接続され、前記他端の前記差動信号線の端子対が前記基板の前記差動信号端子対に接続されていることを特徴とする。
【手続補正６】
【補正対象書類名】明細書
【補正対象項目名】００２１
【補正方法】変更
【補正の内容】
【００２１】
請求項３にかかる発明は、請求項１に記載の光送信器又は光受信器において、前記フレキシブル基板を、差動信号線の対が等長となるよう配置されてなり、片端に近い側が垂直に折り曲げられ、かつ、該折り曲げ部から他端に寄った側が斜めに折り返され、かつ該折り返し部から前記他端に寄った側が垂直に折り曲げられている状態で、前記片端の前記差動信号線の端子対が前記発光部または受光部の前記差動信号端子対に接続され、前記他端の前記差動信号線の端子対が前記基板の前記差動信号端子対に接続されるフレキシブル基板に置き換えたことを特徴とする。
【手続補正７】
【補正対象書類名】明細書
【補正対象項目名】００２３
【補正方法】変更
【補正の内容】
【００２３】
請求項５にかかる発明は、光電変換を担う発光部と受光部を有し１芯の光ファイバと接続される１芯双方向モジュールと、受信信号と送信信号を処理する半導体集積回路を実装した基板と、前記１芯双方向モジュールの前記発光部または受光部の差動信号端子対と前記半導体集積回路に接続された前記基板上の差動信号端子対とを接続するためのフレキシブル基板とを具備し、前記１芯双方向モジュールの前記差動信号端子対が配置される面と前記基板の面とが平行でなく、且つ前記１芯双方向モジュールの前記差動信号端子と前記基板上の前記差動信号端子の直線距離が差動信号間で異なるような光トランシーバにおいて、前記フレキシブル基板は、差動信号線の対が等長となるよう配置されてなり、片端に近い側が垂直に折り曲げられ、かつ、該折り曲げた部分から他端に寄った側が斜めに折り返されている状態で、前記片端の前記差動信号線の端子対が前記１芯双方向モジュールの前記差動信号端子対に接続され、前記他端の前記差動信号線の端子対が前記基板の前記差動信号端子対に接続されていることを特徴とする。
【手続補正８】
【補正対象書類名】明細書
【補正対象項目名】００２５
【補正方法】変更
【補正の内容】
【００２５】
請求項７にかかる発明は、請求項５に記載の光トランシーバにおいて、前記フレキシブル基板を、差動信号線の対が等長となるよう配置されてなり、片端に近い側が垂直に折り曲げられ、かつ、該折り曲げ部から他端に寄った側が斜めに折り返され、かつ該折り返し部から前記他端に寄った側が垂直に折り曲げられている状態で、前記片端の前記差動信号線の端子対が前記１芯双方向モジュールの前記差動信号端子対に接続され、前記他端の前記差動信号線の端子対が前記基板の前記差動信号端子対に接続されるフレキシブル基板に置き換えたことを特徴とする。